(57)【要約】【課題】  回収する復水が正圧状態である場合と、負圧状態である場合の両方の圧力状態となる場合であっても、効率良く復水を回収することのできる復水回収装置を提供すること。【解決手段】  蒸気使用機器１の復水回収管３に圧力検出手段９と蒸気トラップ１１と逆止弁１２を介してエゼクタ２と接続する。正圧用のエゼクタポンプ５を、循環ポンプ４と循環路１５とエゼクタ２とで構成する。負圧用のエゼクタポンプ８を、循環ポンプ６と循環路１７とエゼクタ２と冷却水タンク７とで構成する。  正圧用のエゼクタポンプ５と負圧用のエゼクタポンプ８を切り替えることにより、効率良く復水を回収することができる。【選択図】  図１
2014047985.tif 000002
【特許請求の範囲】
【請求項１】
蒸気使用機器で蒸気が凝縮して発生した復水を、復水回収管から復水回収ポンプによって所定の復水回収先へ回収するものにおいて、復水回収ポンプを、循環ポンプとエゼクタからなる正圧用のエゼクタポンプと、循環ポンプとエゼクタと冷却水タンクからなる負圧用のエゼクタポンプとで構成して、蒸気使用機器から復水回収ポンプへと流下する復水の圧力状態を検出する圧力検出手段を取り付けて、当該圧力検出手段の検出値に応じて正圧用のエゼクタポンプと負圧用のエゼクタポンプを切り替える切替部材を配置したことを特徴とする復水回収装置。
【発明の詳細な説明】
【技術分野】
【０００１】
本発明は、蒸気使用機器で発生した蒸気の凝縮水としての復水を、蒸気ボイラや給水タンク等の所定の復水回収先へ回収する復水回収装置に関する。
【背景技術】
【０００２】
従来の復水回収装置は、蒸気使用機器の復水出口側を蒸気トラップと復水集合タンクと逆止弁を介して復水圧送部材に接続し、この復水圧送部材の高圧操作流体排出口に圧力制御弁を取り付けたもので、熱エネルギー損失を少なくすることができるものである。
【０００３】
この復水回収装置においては、回収する復水が大気圧以上の正圧状態である場合と、大気圧以下の負圧状態である場合の両方の圧力状態となる場合に、効率良く復水を回収することができなくなってしまう問題があった。これは、回収する復水が大気圧以下の負圧状態である場合に、蒸気使用機器で発生した復水が復水圧送部材へ速やかに流下することができず、復水を回収することができなくなってしまうためである。
【先行技術文献】
【特許文献】
【０００４】
【特許文献１】特開２００８−１７０１２６号公報
【発明の概要】
【発明が解決しようとする課題】
【０００５】
解決しようとする課題は、回収する復水が大気圧以上の正圧状態である場合と、大気圧以下の負圧状態である場合の両方の圧力状態となる場合であっても、効率良く復水を回収することのできる復水回収装置を提供すること。
【課題を解決するための手段】
【０００６】
本発明は、蒸気使用機器で蒸気が凝縮して発生した復水を、復水回収管から復水回収ポンプによって所定の復水回収先へ回収するものにおいて、復水回収ポンプを、循環ポンプとエゼクタからなる正圧用のエゼクタポンプと、循環ポンプとエゼクタと冷却水タンクからなる負圧用のエゼクタポンプとで構成して、蒸気使用機器から復水回収ポンプへと流下する復水の圧力状態を検出する圧力検出手段を取り付けて、当該圧力検出手段の検出値に応じて正圧用のエゼクタポンプと負圧用のエゼクタポンプを切り替える切替部材を配置したものである。
【発明の効果】
【０００７】
本発明の復水回収装置は、圧力検出手段の検出値に応じて、正圧用のエゼクタポンプと負圧用のエゼクタポンプを切り替えることにより、回収する復水が大気圧以上の正圧状態である場合と、大気圧以下の負圧状態である場合の両方の圧力状態となる場合であっても、それぞれのエゼクタポンプで効率良く復水を回収することができる。
【図面の簡単な説明】
【０００８】
【図１】本発明の復水回収装置の実施例を示す構成図。
【発明を実施するための最良の形態】
【０００９】
本発明の復水回収装置は、正圧用のエゼクタポンプと負圧用のエゼクタポンプを切り替える切替部材を用いるものであるが、この切替部材としては、それぞれのエゼクタポンプの通路に取り付けた開閉バルブを開閉弁することによって切り替えることができる。
【実施例１】
【００１０】
図１は本実施例の構成図であって、蒸気使用機器１とエゼクタ２を接続する復水回収管３と、復水回収管３に取り付けた圧力検出手段９と、循環ポンプ４とエゼクタ２からなる正圧用のエゼクタポンプ５と、循環ポンプ６とエゼクタ２と冷却水タンク７からなる負圧用のエゼクタポンプ８とで復水回収装置を構成する。
【００１１】
蒸気使用機器１の上部に蒸気供給管１０を接続する。蒸気供給管１０から加熱用の蒸気が蒸気使用機器１の内部へ供給されて、図示しない被加熱物を加熱するものである。蒸気使用機器１の下部に接続した復水回収管３に、復水回収管３内の流体圧力を検出する圧力検出手段９と、蒸気トラップ１１と逆止弁１２をそれぞれ取り付ける。蒸気トラップ１１は、蒸気使用機器１で発生した復水のみをエゼクタ２側へ流下させ、蒸気は流下させることのない自動弁の一種である。蒸気トラップ１１と並列にバイパスバルブ１３を取り付ける。逆止弁１２は、蒸気トラップ１１側からエゼクタ２側への流体のみを通過させ、反対方向の流体の流れは阻止するものである。
【００１２】
正圧用のエゼクタポンプ５を、循環ポンプ４とエゼクタ２、及び、これらを接続する循環路１５とで構成する。循環路１５を分岐する分岐管１６を接続して、この分岐管１６の右端部を図示しない蒸気ボイラと連通する。
【００１３】
負圧用のエゼクタポンプ８を、循環ポンプ６とエゼクタ２と冷却水タンク７、及び、これらを接続する循環路１７とで構成する。循環路１７を分岐する分岐管１８を接続して右端部を図示しない給水タンクと連通する。
【００１４】
循環路１５に開閉バルブ１９を取り付け、循環路１７にも開閉バルブ２０を取り付けて、これらの開閉バルブ１９，２０で切替部材を構成する。循環路１５には逆止弁２２を取り付ける。逆止弁２２は、循環ポンプ４からエゼクタ２側への流体の通過は許容するが、反対方向の流体の通過は阻止するものである。また、負圧用エゼクタポンプ８の冷却水タンク７の上部に冷却水を補給するための冷却水補給管２１を接続する。
【００１５】
蒸気使用機器１で発生した復水は、蒸気トラップ１１と逆止弁１２を通ってエゼクタ２に吸引される。この場合、復水回収管３に取り付けた圧力検出手段９で、復水回収管３内を流下する復水の圧力が検出され、大気圧以上の正圧状態である場合には、循環路１５に取り付けた開閉バルブ１９を開弁して、一方、循環路１７に取り付けた開閉バルブ２０を閉弁することによって、正圧用のエゼクタポンプ５の循環路１５のみを、復水と冷却水の混合流体が流下してエゼクタ２で吸引力を発生する。この場合は、負圧用のエゼクタポンプ８の循環路１７には混合流体は流下しない。
【００１６】
復水回収管３内の復水の圧力が、大気圧以下の負圧状態である場合には、循環路１７に取り付けた開閉バルブ２０を開弁して、一方、循環路１５に取り付けた開閉バルブ１９を閉弁することによって、負圧用のエゼクタポンプ８の循環路１７のみを、復水と冷却水の混合流体が流下してエゼクタ２で吸引力を発生する。この場合は、正圧用のエゼクタポンプ５の循環路１５には混合流体は流下しない。
【００１７】
このように、圧力検出手段９の検出値に応じて、正圧用のエゼクタポンプ５と負圧用のエゼクタポンプ８を切り替えることにより、回収する復水が大気圧以上の正圧状態である場合と、大気圧以下の負圧状態である場合の両方の圧力状態となる場合であっても、それぞれのエゼクタポンプ５，８で効率良く復水を回収することができる。
【産業上の利用可能性】
【００１８】
本発明は、蒸気使用機器で発生した蒸気の凝縮水としての復水を、蒸気ボイラや給水タンク等の所定の復水回収先へ回収する復水回収装置として利用することができる。
【符号の説明】
【００１９】
１  蒸気使用機器
２  エゼクタ
３  復水回収管
４  循環ポンプ
５  正圧用のエゼクタポンプ
６  循環ポンプ
７  冷却水タンク
８  負圧用のエゼクタポンプ
９  圧力検出手段
１０  蒸気供給管
１１  蒸気トラップ
１２  逆止弁
１５  循環路
１７  循環路
【図１】
2014047985.tif 000003